(57)【特許請求の範囲】
【請求項１】
外面に開口する吸引口が挿入部の先端に配置され、上記吸引口に連通する吸引管路が上記挿入部内に挿通配置された内視鏡において、
上記吸引口が塞がった状態の時に上記吸引管路に外気が吸い込まれるように、上記吸引口の近傍において上記吸引管路に連通する通気管路が上記挿入部内に挿通配置され、上記通気管路の基端側が、上記挿入部外において外気に連通していて、上記通気管路に、基端側から先端側へは流体を通過させ逆方向には流体を通過させない逆止弁が設けられていることを特徴とする内視鏡。
【請求項２】
上記通気管路が上記挿入部の先端付近において二股に分岐されていて、その一方は上記吸引管路に連通し、他方は上記挿入部の先端において外面に開口している請求項１記載の内視鏡。
【発明の詳細な説明】
【０００１】
【発明の属する技術分野】
この発明は内視鏡に関する。
【０００２】
【従来の技術】
内視鏡には一般に、挿入部の先端に吸引口が配置されて、その吸引口に連通する吸引管路が挿入部内に挿通配置され、挿入部の基端に連結された操作部における操作により、吸引管路を経由して吸引口から吸引動作が行われるようになっている。
【０００３】
【発明が解決しようとする課題】
内視鏡による吸引動作は、観察の障害になる粘液等の汚液を排出するために行われるが、そのような吸引動作を行っている最中に、粘膜が吸引口（或いは、吸引口を囲む状態に設けられたフード）等に吸い付けられた状態になる場合がある。
【０００４】
すると、吸引される途中の状態の汚液が吸引管路内で停止してしまうので、吸引動作が終わって内視鏡観察をしようとすると、吸引管路内の残留汚液が逆流して吸引口から流れ出し、観察に支障が生じる状態になってしまう場合がある。
【０００５】
そこで本発明は、吸引口が粘膜等で塞がれた状態になっても、それまでに吸引口から吸い込まれた汚液等が吸引管路内で留まることなく吸引排出されて、その後の内視鏡検査を円滑に行うことができる内視鏡を提供することを目的とする。
【０００６】
【課題を解決するための手段】
上記の目的を達成するため、本発明の内視鏡は、外面に開口する吸引口が挿入部の先端に配置され、吸引口に連通する吸引管路が挿入部内に挿通配置された内視鏡において、吸引口が塞がった状態の時に吸引管路に外気が吸い込まれるように、吸引口の近傍において吸引管路に連通する通気管路を、挿入部内に挿通配置したものである。
【０００７】
なお、通気管路の基端側が、挿入部外において外気に連通しているとよく、さらに、通気管路に、基端側から先端側へは流体を通過させ逆方向には流体を通過させない逆止弁が設けられていてもよい。
【０００８】
また、通気管路が挿入部の先端付近において二股に分岐されていて、その一方は吸引管路に連通し、他方は挿入部の先端において外面に開口していてもよい。
【０００９】
【発明の実施の形態】
図面を参照して本発明の実施例を説明する。
図２は例えば気管支検査等に用いられる内視鏡を示しており、可撓性の挿入部１の基端に操作部２が連結されている。
【００１０】
挿入部１と操作部２との連結部付近には、鉗子栓６０が処置具挿入口部に取り付けられて配置されており、挿入部１内に全長にわたって挿通配置された吸引チャンネル（兼処置具挿通チャンネル）に対して鉗子栓６０から処置具を挿入することができる。
【００１１】
そして、操作部２に配置された吸引操作弁４を操作することにより、吸引チャンネルを経由して吸引を行うことができる。５は、後述する手元側開口口金である。
【００１２】
図１は内視鏡において吸引に関与する管路の構成を示しており、処置具挿通チャンネルを兼用する吸引チャンネル１４の基端に真っ直ぐに連通する処置具挿入口３に鉗子栓６０が取り付けられている。
【００１３】
鉗子栓６０には、通常は自己の弾力によって閉じていて、挿入される処置具によって押し開かれるゴム製のスリット６１が形成されていて、そこから吸引チャンネル１４内に処置具を自由に挿脱することができる。
【００１４】
処置具挿入口３の近傍において吸引チャンネル１４から分岐された吸引管２１は、操作部２内に導かれて吸引操作弁４に接続されており、吸引操作弁４には外部の吸引器（図示せず）に接続された吸引接続チューブ５０が接続されている。
【００１５】
挿入部１内には、吸引チャンネル１４と並んで通気チャンネル１５（通気管路）が全長にわたって挿通配置されており、前述の手元側開口口金５がその通気チャンネル１５の基端に連通接続されている。
【００１６】
そして、通気チャンネル１５の基端側から先端側へは流体を通過させ逆方向には流体を通過させない逆止弁１７が、通気チャンネル１５の基端付近に介挿接続されている。
【００１７】
挿入部１の先端面には、図示されていない観察窓等と並んで、吸引口（兼処置具突出口）１３が外面に開口して配置されており、それに対して吸引チャンネル１４がほぼ真っ直ぐに連通接続されている。
【００１８】
通気チャンネル１５の先端は、図３に拡大図示されるように、そのまま外方に開口することなく、吸引口１３の近傍において連通孔１５ａを経由して吸引チャンネル１４と連通している。
【００１９】
連通孔１５ａは、挿入部１の先端部分の本体部材である先端部本体１０に形成されている。また、先端部本体１０の外縁から前方に筒状に突出する先端フード１１が、先端部本体１０に対して着脱自在に取り付けられている。
【００２０】
このように構成された実施例の内視鏡においては、吸引操作弁４を操作することにより、吸引管２１及び吸引チャンネル１４を介して吸引口１３から吸引が行われ、体内から粘液等を吸引排出することができる。
【００２１】
そして、体内の粘膜等が吸引口１３に吸い付けられ、或いは先端フード１１の開口に粘膜等が吸い付けられることにより吸引口１３が塞がった状態なると、図１及び図３に破線で示されるように、手元側開口口金５から導入される外気が、通気チャンネル１５と連通孔１５ａを通って吸引チャンネル１４内に吸引される。
【００２２】
したがって、それまでに吸引チャンネル１４内に吸い込まれていた粘液その他の汚液等は、吸引チャンネル１４内に留まることなく、吸引管２１から吸引接続チューブ５０側へ吸引されて排出される。
【００２３】
そして、通気チャンネル１５に逆止弁１７が介挿接続されていることにより、体内の汚液等が通気チャンネル１５を逆流して手元側開口口金５から噴出するような現象が確実に防止されると共に、通気チャンネル１５を利用して手元側開口口金５から送気又は送水等を行うことができる。
【００２４】
なお、本発明は上記実施例に限定されるものではなく、例えば図４に示されるように、通気チャンネル１５を挿入部１の先端付近において二股に分岐して、吸引チャンネル１４に連通する連通孔１５ａと、先端部本体１０の先端面等に直接開口する送気送水出口孔１５ｂとに連通させても差し支えない。
【００２５】
また、図５に示されるように、逆止弁１７を通気チャンネル１５の途中に設けるのではなく、手元側開口口金５に対して着脱自在なアダプタとして取り付けてもよい。このように構成すれば、通気チャンネル１５内の洗浄や逆止弁１７の交換等を容易に行うことができる。
【００２６】
【発明の効果】
本発明によれば、吸引口が塞がった状態の時には、吸引口の近傍において吸引管路に連通する通気管路を通って外気が吸引管路に吸い込まれ、それまでに吸引口から吸い込まれた汚液等が吸引管路内で留まることなく吸引排出されてしまうので、観察の妨げになる汚液の逆流等が発生せず、その後の内視鏡検査を円滑に行うことができる。
【図面の簡単な説明】
【図１】本発明の第１の実施例の内視鏡の吸引に関与する管路の配管図である。
【図２】本発明の第１の実施例の内視鏡の外観図である。
【図３】本発明の第１の実施例の内視鏡の挿入部先端の側面断面図である。
【図４】本発明の第２の実施例の内視鏡の挿入部先端の側面断面図である。
【図５】本発明の第３の実施例の内視鏡の吸引に関与する管路の配管図である。
【符号の説明】
１  挿入部
４  吸引操作弁
５  手元側開口口金
１０  先端部本体
１１  先端フード
１３  吸引口
１４  吸引チャンネル（吸引管路）
１５  通気チャンネル（通気管路）
１５ａ  連通孔
１５ｂ  送気送水出口孔
１７  逆止弁
２１  吸引管（吸引管路）
５０  吸引接続チューブ
【図１】
0004629261.tif 000002
【図２】
0004629261.tif 000003
【図３】
0004629261.tif 000004
【図４】
0004629261.tif 000005
【図５】
0004629261.tif 000006